(57)【要約】【課題】床下空間の通気性と建物の断熱性の向上を図るとともに、床下空間の多湿の空気や異臭等が居住空間に流入するのを防ぐことを課題とする。【解決手段】床下空間Ｙと居住空間Ｊとを有する建物の換気システム１であって、居住空間Ｊの空気を床下空間Ｙに給気する給気手段４と、床下空間Ｙの空気を建物の外へ排気する排気手段５と、床下空間Ｙの空気を居住空間Ｊに戻す循環手段６と、排気手段５による空気の流れと循環手段６による空気の流れとを切り替える制御手段８と、を有することを特徴とする。【選択図】図１
2012021730.tif 000002
【特許請求の範囲】
【請求項１】
床下空間と居住空間とを有する建物の換気システムであって、
前記居住空間の空気を前記床下空間に給気する給気手段と、
前記床下空間の空気を前記建物の外へ排気する排気手段と、
前記床下空間の空気を前記居住空間に戻す循環手段と、
前記排気手段による空気の流れと前記循環手段による空気の流れとを切り替える制御手段と、
を有することを特徴とする換気システム。
【請求項２】
前記床下空間の環境を検知するセンサを有し、
前記制御手段は、前記センサの検知結果に基づいて前記排気手段による空気の流れと前記循環手段による空気の流れとを切り替えることを特徴とする請求項１に記載の換気システム。
【請求項３】
前記排気手段及び前記循環手段はそれぞれ送風機を備えており、
前記制御手段は、前記排気手段の送風機及び前記循環手段の送風機の一方を作動させ、他方を停止させることを特徴とする請求項１又は請求項２に記載の換気システム。
【請求項４】
前記排気手段は、前記床下空間から前記建物の外に連通する排気ダクトと、前記排気ダクトに形成された排気開閉弁と、を有し、
前記循環手段は、前記床下空間から前記居住空間に連通する循環ダクトと、前記循環ダクトに形成された循環開閉弁と、を有し、
前記排気ダクト及び前記循環ダクトに連通するダクトには送風機が設置されており、
前記制御手段は、前記排気開閉弁及び前記循環開閉弁の一方を開弁させ、他方を閉弁させることを特徴とする請求項１又は請求項２に記載の換気システム。
【請求項５】
前記居住空間内の空気を調節する空調機を有し、
前記建物に断熱処理が施されていることを特徴とする請求項１乃至請求項４のいずれか一項に記載の換気システム。
【発明の詳細な説明】
【技術分野】
【０００１】
本発明は、建物の換気システムに関する。
【背景技術】
【０００２】
特許文献１には、建物の居住空間と床下空間とを連通する床下連通口と、建物の基礎の立上りに形成された排気手段と、を有する換気システムが記載されている。一般的に、床下空間は、基礎のスラブ及び立上り、床等で囲まれているため通気性が悪く、湿度が上昇しやすい。これにより、床下空間は結露やカビが発生しやすい。しかし、特許文献１の換気システムによれば、居住空間の空気が床下連通口を介して床下空間に流入し、排気手段から外部に排気することができる。これにより、床下空間の通気性が向上するため、湿度の上昇を抑え、結露等の発生を防ぐことができる。
【０００３】
特許文献２には、基礎の立上りに設けられた開口と、建物の居住空間と床下空間とを連通する床下連通口と、居住空間の空気を外部に排気する送風機と、を有する換気構造が記載されている。この換気構造によれば、床下空間における通気性が向上するとともに、比較的冷たい空気を居住空間に取り入れることができる。
【先行技術文献】
【特許文献】
【０００４】
【特許文献１】特開２００４−２３２９９９号公報
【特許文献２】特開平８−２８９２４号公報
【発明の概要】
【発明が解決しようとする課題】
【０００５】
しかし、特許文献１に係る換気システムでは、居住空間の空気を一方的に建物の外へ排気するので熱損失が大きいという問題がある。特に、断熱住宅等、建物内の熱を管理しつつ換気を行う場合には、熱効率が低下するという問題がある。
【０００６】
ここで、特許文献１に係る換気システムにおいて、特許文献２に係る換気構造のように、床下空間の空気を居住空間に取り入れる流路を設ければ、熱効率の低下を抑えることができるとも考えられる。しかしながら、例えば新築の建物においては、基礎コンクリートから発散される異臭が床下空間に充満している場合がある。また、梅雨や夏季など、時期によっては床下空間の湿度が非常に高い場合がある。このように床下空間が比較的悪い環境下にあると、床下空間の空気を居住空間に取り入れる流路を設けただけでは床下空間の多湿の空気や異臭等が居住空間に流入してしまう可能性がある。
【０００７】
本発明は、前記した問題に鑑みて創案されたものであり、床下空間の通気性と建物の断熱性の向上を図るとともに、床下空間の多湿の空気や異臭等が居住空間に流入するのを防ぐことができる換気システムを提供することを課題とする。
【課題を解決するための手段】
【０００８】
前記課題を解決するため、本発明は、床下空間と居住空間とを有する建物の換気システムであって、前記居住空間の空気を前記床下空間に給気する給気手段と、前記床下空間の空気を前記建物の外へ排気する排気手段と、前記床下空間の空気を前記居住空間に戻す循環手段と、前記排気手段による空気の流れと前記循環手段による空気の流れとを切り替える制御手段と、を有することを特徴とする。
【０００９】
かかる構成によれば、床下空間に居住空間の空気を流入させ、排気手段又は循環手段から流出させることができるので、床下空間の通気性を向上させることができる。また、居住空間から床下空間に流入させた空気を、循環手段によって居住空間に戻して循環させることができる。これにより、建物の内部で得られた熱が外に逃げないため、建物の断熱性を向上させることができる。また、排気手段の空気の流れと循環手段の空気の流れとを切り替えることができるので、床下空間の多湿の空気や異臭等が居住空間に流入するのを防ぐことができる。
【００１０】
また、前記床下空間の環境を検知するセンサを有し、前記制御手段は、前記センサの検知結果に基づいて前記排気手段による空気の流れと前記循環手段による空気の流れとを切り替えることが好ましい。床下空間の環境は季節や時刻、築年数等によって変化するが、かかる構成によれば、床下空間の環境の変化に応じて床下空間の通気性の向上や熱効率の向上を図ることができる。
【００１１】
また、前記排気手段及び前記循環手段はそれぞれ送風機を備えており、前記制御手段は、前記排気手段の送風機及び前記循環手段の送風機の一方を作動させ、他方を停止させることが好ましい。かかる構成によれば、簡易な構成で換気システムを構築できる。
【００１２】
また、前記排気手段は、前記床下空間から前記建物の外に連通する排気ダクトと、前記排気ダクトに形成された排気開閉弁と、を有し、前記循環手段は、前記床下空間から前記居住空間に連通する循環ダクトと、前記循環ダクトに形成された循環開閉弁と、を有し、前記排気ダクト及び前記循環ダクトに連通するダクトには送風機が設置されており、前記制御手段は、前記排気開閉弁及び前記循環開閉弁の一方を開弁させ、他方を閉弁させることが好ましい。かかる構成によれば、簡易な構成で換気システムを構築できる。
【００１３】
また、前記居住空間内の空気を調節する空調機を有し、前記建物に断熱処理が施されていることが好ましい。かかる構成によれば、居住空間の空気を調節できるとともに、建物内の熱損失をより抑えることができる。
【発明の効果】
【００１４】
本発明に係る換気システムによれば、床下空間の通気性と建物の断熱性の向上を図るとともに、床下空間の多湿の空気や異臭等が居住空間に流入するのを防ぐことができる。
【図面の簡単な説明】
【００１５】
【図１】第一実施形態に係る換気システムを示す模式図である。
【図２】第二実施形態に係る換気システムを示す模式図である。
【発明を実施するための形態】
【００１６】
＜第一実施形態＞
以下、本発明の第一実施形態について、図面を参照して詳細に説明する。図１に示すように、第一実施形態に係る換気システム１は、住宅１００内の換気を行う場合を例に説明する。まずは、住宅１００の構成について簡単に説明する。
【００１７】
＜住宅１００の構成＞
住宅１００は、基礎部１０１、居住部１０２、天井部１０３で構成されている。基礎部１０１は、スラブ１０４と、スラブ１０４から立ち上がる立上り１０５と、立上り１０５の内側に配設された断熱材１０６とを有する。基礎部１０１と後記する一階床１１１とで床下空間Ｙが形成されている。
【００１８】
立上り１０５には、外部に連通する基礎開口１０５ａが形成されている。断熱材１０６の材料は、ポリスチレンフォーム、グラスウール、ロックウール等熱の伝達を抑制できる部材であれば特に制限されない。第一実施形態では、立上り１０５の内側のみに断熱材１０６を設けているが、立上り１０５の外側や、スラブ１０４に断熱材１０６を配設してもよい。また、第一実施形態ではベタ基礎を例示しているが、他の基礎構造であってもよい。
【００１９】
居住部１０２は、２階建てになっており、一階床１１１、外壁１１２，１１３、一階天井１１４、二階床１１５、二階天井１１６で主に構成されている。居住部１０２の内部には、内壁や間仕切り等で構成された居住空間Ｊが形成されている。居住部１０２は、第一実施形態では、五つの居住空間が形成されており、それぞれ第一居住空間Ｊ１、第二居住空間Ｊ２、第三居住空間Ｊ３、第四居住空間Ｊ４及び第五居住空間Ｊ５とする。
【００２０】
第一居住空間Ｊ１は、一階床１１１、外壁１１３、間仕切り１１８及び一階天井１１４で囲まれた空間である。第一居住空間Ｊ１の一階床１１１には、床下空間Ｙに連通する第一床開口１１１ａが形成されている。間仕切り１１８は、第一居住空間Ｊ１と第二居住空間Ｊ２とを仕切る壁であって、下端には換気ガラリ等のアンダーカット１１８ａが形成されている。第一居住空間Ｊ１の一階天井１１４には、第一吹出口Ｆ１が形成されている。なお、第一居住空間Ｊ１には二階に通じる階段Ｋが形成されている。
【００２１】
第二居住空間Ｊ２は、一階床１１１、間仕切り１１８、内壁１１９及び一階天井１１４で囲まれた空間である。第二居住空間Ｊ２の一階天井１１４には、第二吹出口Ｆ２が形成されている。内壁１１９には、第三吹出口Ｆ３が形成されている。
【００２２】
第三居住空間Ｊ３は、二階床１１５、内壁１２０、間仕切り１２１及び二階天井１１６で囲まれた空間である。第三居住空間Ｊ３の二階天井１１６には、第四吹出口Ｆ４が形成されている。間仕切り１２１は、第三居住空間Ｊ３と第四居住空間Ｊ４を仕切る壁であって、下端には換気ガラリ等のアンダーカット１２１ａが形成されている。
【００２３】
第四居住空間Ｊ４は、二階床１１５、間仕切り１２１、内壁１２２及び二階天井１１６で囲まれた空間である。第四居住空間Ｊ４の二階天井１１６には、第五吹出口Ｆ５及び第六吹出口Ｆ６が形成されている。
【００２４】
第五居住空間Ｊ５は、一階床１１１、外壁１１２、内壁１１９及び一階天井１１４で囲まれた空間である。第五居住空間Ｊ５は、主として後記する空調機２が配置される空間である。内壁１１９には、第五居住空間Ｊ５に連通する内壁開口１１９ａが形成されている。第五居住空間Ｊ５の一階床１１１には、床下空間Ｙに連通する第二床開口１１１ｂが形成されている。
【００２５】
なお、具体的な図示は省略するが、各居住空間Ｊ１〜Ｊ５には、各居住空間の気温及び湿度を計測し、計測結果を後記する制御手段８に送信する温度・湿度計が設置されている。
【００２６】
天井部１０３は、屋根１２５で主に構成されている。屋根裏空間Ｎは、外壁１１２，１１３と屋根１２５とで囲まれた空間である。
【００２７】
＜換気システム１の構成＞
換気システム１は、空調機２、連結ダクト３、給気手段４、排気手段５、循環手段６、センサ７及び制御手段８で主に構成されている。第一実施形態に係る換気システム１は、床下空間Ｙ及び居住部１０２内の空気を全体的にコントロールする。
【００２８】
空調機２は、主として居住空間Ｊ（Ｊ１〜Ｊ５）に対して、冷暖房、除湿、加湿、換気、空気清浄及び脱臭等を行う装置である。空調機２は、第一実施形態では、第五居住空間Ｊ５に設置されている。空調機２は、住宅１００の外に設置された室外機と、外壁１１２に形成された給排気口１０２ｂと、を有している。また、空調機２は、制御手段８に電気的に接続されている。
【００２９】
空調機２では、居住空間Ｊ（Ｊ１〜Ｊ５）に設置された温度・湿度計から送信された信号に基づいて、居住空間Ｊ（Ｊ１〜Ｊ５）が制御手段８で利用者が設定した気温及び湿度になるように空気の調節を行う。空調機２は、内壁開口１１９ａ、循環手段６（第二床開口１１１ｂ）及び給排気口１０２ｂから流入した空気を取り入れて、空気清浄及び脱臭等を行なった後、主ダクトＤ１，Ｄ５から送気するように形成されている。
【００３０】
連結ダクト３は、空調機２から送り出される空気を各居住空間Ｊ１〜Ｊ４に供給する。連結ダクト３は、一階用分岐チャンバＣ１と、二階用分岐チャンバＣ２と、各ダクトとで構成されている。
【００３１】
一階用分岐チャンバＣ１は、屋根裏空間Ｎに配設されている。一階用分岐チャンバＣ１は、空調機２から送られた空気を一階の第一居住空間Ｊ１及び第二居住空間Ｊ２に供給するための部材である。一階用分岐チャンバＣ１は、主ダクトＤ１を介して空調機２に連結されている。また、一階用分岐チャンバＣ１は、分岐ダクトＤ２を介して第一吹出口Ｆ１に連結され、分岐ダクトＤ３を介して第二吹出口Ｆ２に連結され、分岐ダクトＤ４を介して第三吹出口Ｆ３に連結されている。
【００３２】
二階用分岐チャンバＣ２は、屋根裏空間Ｎに配置されている。二階用分岐チャンバＣ２は、空調機２から送られた空気を二階の第三居住空間Ｊ３及び第四居住空間Ｊ４に供給するための部材である。二階用分岐チャンバＣ２は、主ダクトＤ５を介して空調機２に連結されている。また、二階用分岐チャンバＣ２は、分岐ダクトＤ６を介して第四吹出口Ｆ４に連結され、分岐ダクトＤ７を介して第五吹出口Ｆ５に連結され、分岐ダクトＤ８を介して第六吹出口Ｆ６に連結されている。なお、二階天井１１６には、一階用分岐チャンバＣ１を点検するための点検口１１６ｂと二階用分岐チャンバＣ２を点検するための点検口１１６ａが形成されている。
【００３３】
給気手段４は、居住空間Ｊの空気を床下空間Ｙに供給する。給気手段４は、第一実施形態では、第一居住空間Ｊ１に形成された第一床開口１１１ａと、床下空間Ｙから第一居住空間Ｊ１側に空気を逆流させない逆流防止弁（図示省略）とで構成されている。給気手段４は、本実施形態では、床下空間Ｙの気圧が低下することにより、第一居住空間Ｊ１から床下空間Ｙに空気が流入するようになっている。なお、逆流防止弁については必要に応じて適宜設ければよい。また、例えば送風機等空気を床下空間Ｙに供給する装置を第一床開口１１１ａに設けてもよい。
【００３４】
排気手段５は、床下空間Ｙの空気を住宅１００の外部へ排気する。排気手段５は、第一実施形態では、基礎開口１０５ａと、第一送風機１１とで構成されている。第一送風機１１は、立上り１０５に形成された基礎開口１０５ａに配設されている。第一送風機１１は、制御手段８からの制御信号に基づいて作動又は停止するように形成されている。第一送風機１１が作動すると、床下空間Ｙの空気が外部に排気される。
【００３５】
循環手段６は、床下空間Ｙの空気を居住空間Ｊに戻す。循環手段６は、第一実施形態では、第二床開口１１１ｂと、第二送風機１２とで構成されている。第二送風機１２は、第五居住空間Ｊ５に形成された第二床開口１１１ｂに配設されている。第二送風機１２は、制御手段８からの制御信号に基づいて作動又は停止するように形成されている。第二送風機１２が作動すると、床下空間Ｙの空気が第五居住空間Ｊ５に流入する。
【００３６】
センサ７は、床下空間Ｙの環境を計測する装置である。センサ７は、床下空間の環境、つまり、湿度、気温、臭い等を検知して、検知結果を制御手段８に送信する。検知の対象は、一つのみであってもよいし、複数であってもよい。第一実施形態では、センサ７として、床下空間Ｙの湿度を計測する湿度センサのみを用いる場合を例示する。センサ７は、床下空間Ｙ内であればどこに設置してもよく、第一実施形態では一階床１１１の裏側に配設されている。
【００３７】
制御手段８は、空調機２を制御するとともに、センサ７の検知結果に基づいて第一送風機１１及び第二送風機１２を制御する。制御手段８では、第一送風機１１及び第二送風機１２を制御することにより、床下空間Ｙの空気を住宅１００の外部へ排気する第一換気と、床下空間Ｙの空気を居住空間Ｊ（第五居住空間Ｊ５）に戻し循環させる第二換気とを切り替える。
【００３８】
制御手段８は、空調機２、センサ７、第一送風機１１及び第二送風機１２と電気的に接続されている。制御手段８は、例えばＣＰＵなどの演算装置と、ＲＡＭやＲＯＭなどの記憶装置と、リモートコントローラなどの入力手段と、気温や湿度等が表示される表示部等を含んで構成されている。
【００３９】
記憶装置は、入力手段からの入力信号に基づいて、利用者が望む居住空間Ｊの気温及び湿度を記憶するように構成されている。また、記憶装置は、入力手段からの入力信号に基づいて、第一換気と第二換気とを切り替える基準となる床下空間Ｙの湿度（以下、この湿度の値を「基準値」とも言う）を記憶するように構成されている。
【００４０】
制御手段８は、居住空間Ｊが記憶された居住空間Ｊの気温及び温度になるよう空調機２に制御信号を送信する。また、制御手段８は、センサ７から送信された検知結果が記憶された基準値以上と判定した場合に、第一送風機１１を作動させ、第二送風機１２を停止させるよう制御信号を送信する。
【００４１】
一方、制御手段８は、センサ７から送信された検知結果が記憶された基準値よりも小さいと判定した場合に、第一送風機１１を停止させ、第二送風機１２を作動させるよう制御信号を送信する。なお、本実施形態では、空調機２が作動している間は、第一送風機１１及び第二送風機１２のいずれか一方が作動するように形成されている。
【００４２】
次に、第一実施形態に係る換気システム１の作用効果について説明する。
第一実施形態に係る換気システム１では、利用者の操作によって居住空間Ｊの気温及び温度が例えば、２５℃、５０％に設定されているものとする。また、利用者の操作によって第一換気と第二換気とを切り替える基準となる基準値が例えば５０（％）に設定されているものとする。
【００４３】
空調機２から送出された空気は、主ダクトＤ１によって一階用分岐チャンバＣ１に送られるとともに、主ダクトＤ５によって二階用分岐チャンバＣ２に送られる。一階用分岐チャンバＣ１で分けられた空気は、第一吹出口Ｆ１から第一居住空間Ｊ１に送られ、第二吹出口Ｆ２、第三吹出口Ｆ３から第二居住空間Ｊ２に送られる。二階用分岐チャンバＣ２で分けられた空気は、第四吹出口Ｆ４から第三居住空間Ｊ３に送られ、第五吹出口Ｆ５、第六吹出口Ｆ６から第四居住空間Ｊ４に送られる。
【００４４】
各居住空間Ｊ１〜Ｊ４に送られた空気は、アンダーカット１１８ａ，１２１ａ、階段Ｋ、給気手段４、循環手段６及び第五居住空間Ｊ５の内壁開口１１９ａ等を介して建物内を循環する。これにより、居住空間Ｊを利用者が設定した気温及び温度に保つことができる。
【００４５】
また、換気システム１では、センサ７から送信された検知信号が基準値以上であった場合、第一換気を行う。つまり、換気システム１では、センサ７から送信された検知信号が基準値以上であると、第一送風機１１が作動するとともに第二送風機１２が停止する。これにより、第一居住空間Ｊ１の第一床開口１１１ａから床下空間Ｙに空気が流入し、床下空間Ｙを通過した後、基礎開口１０５ａから住宅１００の外部へ空気が排出される。第一換気の空気の流れについては、図１の黒太矢印で示している。
【００４６】
一方、換気システム１では、センサ７から送信された検知信号が基準値よりも小さかった場合、第二換気を行う。つまり、換気システム１では、センサ７から送信された検知信号が基準値よりも小さいと、第一送風機１１が停止するとともに第二送風機１２が作動する。これにより、第一居住空間Ｊ１の第一床開口１１１ａから床下空間Ｙに空気が流入し、床下空間Ｙを通過した後、第二床開口１１１ｂから第五居住空間Ｊ５に流入する。第二換気の空気の流れについては、図１の白抜き矢印で示している。
【００４７】
換気システム１によれば、第一換気及び第二換気のいずれの場合も、床下空間Ｙに空気を流すことができるため、床下空間Ｙの通気性を向上させることができる。これにより、床下空間Ｙの異臭の発生や床下空間Ｙの木材の耐久性の低下を抑制することができる。また、本実施形態では、居住空間Ｊの比較的低湿な空気を床下空間Ｙに供給するため、床下空間Ｙの湿度を低減させやすい。
【００４８】
また、床下空間Ｙの湿度が基準値よりも大きい場合、つまり床下空間Ｙが比較的多湿の場合には、第一換気を行って床下空間Ｙの空気を住宅１００の外部へ排気するため、床下空間Ｙの湿気を多く含んだ空気が居住空間Ｊに流入することがなく、床下空間Ｙの異臭も居住空間に流入しない。
【００４９】
一方、床下空間Ｙの湿度が基準値よりも小さい場合、つまり床下空間Ｙが比較的低湿の場合には、第二換気を行って床下空間Ｙの空気を居住空間Ｊに戻し循環させることができる。これにより、熱損失を抑えることができるため、住宅１００内の熱効率を高めることができる。
【００５０】
また、本実施形態では、循環手段６を空調機２が設置された第五居住空間Ｊ５に形成した。前記したように、本実施形態の空調機２は、空気清浄及び脱臭を行う装置を備えているため、床下空間Ｙから第五居住空間Ｊ５に流入した空気の湿気を吸収するとともに、清浄・脱臭しつつ、循環させることができる。
【００５１】
また、本実施形態では、センサ７を備えているため、床下空間Ｙの湿度（環境）の変化に応じて換気の切り替えを行うことができる。これにより、床下空間Ｙの環境の変化に応じて床下空間Ｙの通気性の向上や熱効率の向上を図ることができる。また、本実実施形態では、空調機２及び連結ダクト３等を備えるとともに、建物内の空気が循環するように構成されているため、居住空間Ｊだけでなく床下空間Ｙも含めた全体の空気を調節することができる。
【００５２】
また、基礎部１０１には、断熱材１０６が設けられているため、住宅１００の熱効率をさらに高めることができる。また、本実施形態では、第一送風機１１及び第二送風機１２を備え、これらの運転を制御手段８で切り替えるだけであるため、換気システム１を簡易に構成することができる。
【００５３】
＜第二実施形態＞
次に、本発明の第二実施形態について説明する。
第二実施形態では、床下空間Ｙにダクト及び開閉弁を設けた点で、第一実施形態と相違する。なお、第一実施形態と共通する部分については、同一の符号を付して詳細な説明を省略する。
【００５４】
第二実施形態に係る換気システム１Ａは、空調機２、連結ダクト３（図１参照）、給気手段４、排気手段５Ａ、循環手段６Ａ、センサ７及び制御手段８Ａで主に構成されている。
【００５５】
排気手段５Ａは、排気ダクトＤ１２、排気開閉弁２２及び基礎開口１０５ａで構成されている。排気ダクトＤ１２は、共通ダクトＤ１１及び基礎開口１０５ａにそれぞれ連通している。共通ダクトＤ１１の端部には、第三送風機２１が形成されている。第三送風機２１は、排気開閉弁２２よりも空気の流れの上流側に配設されている。第三送風機２１は、制御手段８Ａと電気的に接続されており、空調機２が作動している場合は、常時作動するように形成されている。
【００５６】
排気開閉弁２２は、制御手段８Ａと電気的に接続されている。排気開閉弁２２は、制御手段８Ａの制御信号に基づいて排気ダクトＤ１２の流路を開閉する。
【００５７】
循環手段６Ａは、循環ダクトＤ１３、循環開閉弁２３及び第二床開口１１１ｂで構成されている。循環ダクトＤ１３は、共通ダクトＤ１１及び第二床開口１１１ｂにそれぞれ連通している。循環開閉弁２３は、制御手段８Ａと電気的に接続されている。
【００５８】
循環開閉弁２３は、制御手段８Ａの制御信号に基づいて循環ダクトＤ１３の流路を開閉する。共通ダクトＤ１１及び第三送風機２１は、本実施形態では排気手段５Ａと循環手段６Ａとで共有させたが、それぞれ個別に設けてもよい。
【００５９】
制御手段８Ａは、空調機２を制御するとともに、センサ７の検査結果に基づいて排気開閉弁２２及び循環開閉弁２３のいずれか一方を開け、他方を閉じるよう排気開閉弁２２及び循環開閉弁２３に対して制御信号を送信する。
【００６０】
次に、第二実施形態に係る換気システム１Ａの作用効果について説明する。
第二実施形態に係る換気システム１Ａでは、制御手段８Ａにおいて居住空間Ｊの温度及び湿度が例えば、２５℃、５０％に設定されているものとする。また、第一換気と第二換気とを切り替える基準となる基準値が例えば５０（％）に設定されているものとする。
【００６１】
換気システム１Ａでは、空調機２及び連結ダクト３等によって居住空間Ｊの空気が、予め設定された気温及び湿度になるように設定されている。
【００６２】
また、換気システム１Ａでは、センサ７から送信された検知信号が、基準値以上であった場合、第一換気を行う。つまり、換気システム１Ａでは、センサ７から送信された検知信号が基準値以上であると、排気開閉弁２２が開弁し、循環開閉弁２３が閉弁する。これにより、第一居住空間Ｊ１の第一床開口１１１ａから床下空間Ｙに空気が流入し、共通ダクトＤ１１及び排気ダクトＤ１２を流れて基礎開口１０５ａから住宅１００の外部へ空気が排出される。第一換気の空気の流れについては、図２の黒太矢印で示している。
【００６３】
一方、換気システム１Ａでは、センサ７から送信された検知信号が、基準値よりも小さかった場合、第二換気を行う。つまり、換気システム１Ａでは、センサ７から送信された検知信号が基準値よりも小さいと、排気開閉弁２２が閉弁し、循環開閉弁２３が開弁する。これにより、第一居住空間Ｊ１の第一床開口１１１ａから床下空間Ｙに空気が流入し、共通ダクトＤ１１及び循環ダクトＤ１３を流れて第二床開口１１１ｂから第五居住空間Ｊ５に流入する。第二換気の空気の流れについては、図２の白抜き矢印で示している。
【００６４】
換気システム１Ａによっても第一実施形態と同様の効果を奏することができる。また、換気システム１Ａであっても、比較的簡易に構成することができる。また、共通ダクトＤ１１及び第三送風機２１は、排気手段５Ａと循環手段６Ａとで共有できるため、部品点数を削減できる。
【００６５】
なお、換気システム１Ａでは、排気ダクトＤ１２を基礎開口１０５ａに連通させたが、これに限定されるものではない。例えば、外壁１１２に開口を設け、この開口と排気ダクトＤ１２とを連通させてもよい。
【００６６】
以上、本発明の実施形態について説明したが、本発明の趣旨に反しない範囲において適宜設計変更が可能である。例えば、センサ７として本実施形態では湿度センサのみを用いたが、温度センサ、臭いセンサ等を組み合わせて用いてもよい。複数のセンサを用いることで、床下空間Ｙの細かな状況に応じて換気を切り替えることができる。例えば、湿度センサと温度センサを組み合わせて、第二換気において、夏は低湿及び低温の空気が居住空間Ｊに流入し、冬は高湿及び高温の空気が居住空間Ｊに流入するように構成してもよい。
【００６７】
また、本実施形態ではセンサ７の検知結果に基づいて第一換気と第二換気の切り替えを行ったが、タイマー等を用いて時間によって切り替えるようにしてもよい。また、センサ７の検知結果によらず、第一換気と第二換気を強制的に切り替える手段を設けてもよい。
【００６８】
また、本実施形態では断熱材１０６を基礎部１０１のみに設けたが、居住部１０２や天井部１０３に設けてもよい。
【００６９】
また、本実施形態では、空調機２と連動して第一換気及び第二換気のいずれか一方を行うように構成したが、空調機２が停止している場合に、第一換気及び第二換気のいずれか一方を行うように構成してもよい。
【００７０】
また、本実施形態では、排気手段５及び循環手段６のいずれか一方を作動させて他方を停止させたが、これに限定されるものではなく、排気手段５と循環手段６の両方を作動させる第三換気を行うよう形成してもよい。また、本実施形態では、二階建ての住宅に換気システム１を設ける場合を例示したが、一階建て又は三階建て以上の住宅に設けてもよい。また、換気システム１をマンションに設けてもよい。
【符号の説明】
【００７１】
１      換気システム
２      空調機
３      連結ダクト
４      給気手段
５      排気手段
６      循環手段
７      センサ
８      制御手段
１１    第一送風機
１２    第二送風機
２２    排気開閉弁
２３    循環開閉弁
Ｄ１１  共通ダクト
Ｄ１２  排気ダクト
Ｄ１３  循環ダクト
２１    第三送風機
１００  住宅（建物）
Ｊ      居住空間
Ｙ      床下空間
【図１】
2012021730.tif 000003
【図２】
2012021730.tif 000004